(57)【特許請求の範囲】
【請求項１】
底部にヒンジ連結された４つの側壁を有するとともに、底部に側壁を重ねるようにして折り畳むことが可能な折り畳みコンテナーにおいて、箱型に組み立てられた折り畳みコンテナーを折り畳む際に、後から倒される側壁には、先端に係止突部が突設された係止弾性片が形成されており、折り畳みコンテナーが折り畳まれた状態においては、前記係止弾性片の係止突部が、先に倒された側壁の周辺リブを形成する下部水平部と底部の外壁と底部の底板とにより形成され、且つ、上方が開放された空間部に挿入されるように構成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，一例として、図１３〜図１６に示されているように、平面形状が略長方形の底部１’が、その相対する長辺側に形成された高さの低い土手部（以下、単に、長辺側土手部という。）１ａ’と、相対する短辺側に形成された高さの高い土手部（以下、単に、短辺側土手部という。）１ｂ’とを有するとともに、長辺側土手部１ａ’に、長側壁２’がヒンジ連結され、また、短辺側土手部１ｂ’に、短側壁３’がヒンジ連結された折り畳みコンテナーが知られている。
【０００３】
底部１’の短辺側土手部１ｂ’の両端部からは、長辺側土手部１ａ’方向に延在する角部載置ブロック１ｃ’が形成されており、また、必要に応じて、長辺側土手部１ａ’の上面中央部には、正面形状（長辺側土手部１ａ’側から見た形状）が略方形状の載置ブロック１ｄ’が突設されている。
【０００４】
上述したように、底部１’の短辺側土手部１ｂ’の両端部からは、長辺側土手部１ａ’方向に延在する角部載置ブロック１ｃ’が形成されているので、長側壁２’の下部角部には、折り畳みコンテナーを箱型に組みたてた際に、角部載置ブロック１ｃ’が入り込む切り欠き凹部２ａ’が形成されている。なお、底部１’の長辺側土手部１ａ’の上面中央部に、載置ブロック１ｄ’が突設されている場合には、長側壁２’の下部中央部には、折り畳みコンテナーを箱型に組みたてた際に、載置ブロック１ｄ’が入り込むことが可能な切り欠き凹部２ｂ’が形成されることになる。
【０００５】
４’は、短側壁３’の両端部から、短側壁３’の内面３ａ’に対して直角方向に延在する係合枠であり、係合枠４’には、適当数の嵌合孔４ａ’が穿設されている。５’は、係合枠４’付近の短側壁３’に形成された係止弾性片であり、係止弾性片５’の先端部には、短側壁３’の内面３ａ’を越えて内側に突出した係止突部５ａ’が形成されている。６’は、長側壁２’の両端部付近に形成された張出枠であり、張出枠６’には、短側壁３’の係合枠４’に穿設された嵌合孔４ａ’に挿入可能な嵌合突部６ａ’が形成されている。
【０００６】
図１３に示されているように、箱型に組み立てられた折り畳みコンテナーを折り畳むには、先ず最初に、底部１’の長辺側土手部１ａ’にヒンジ連結された長側壁２’を、底部１’方向に倒して、図１４に示されているように、底部１’の上に重ね、次いで、底部１’の短辺側土手部１ｂ’にヒンジ連結された短側壁３’を、底部１’方向に倒して、底部１’に重ねられた長側壁２’の上に重ねることにより、図１５に示されているように、高さの低いコンパクトな状態に折り畳むことができるように構成されている。
【０００７】
また、折り畳まれた状態から、後から倒された短側壁３’を、略垂直に立て、次いで、先に倒された長側壁２’を略垂直に立てることにより、箱型に組み立てることができるように構成されている。折り畳みコンテナーを箱型に組み立てた際には、短側壁３’の係合枠４’に穿設された嵌合孔４ａ’に、長側壁２’の張出枠６’に形成された嵌合突部６ａ’が挿入されるとともに、長側壁２’の内面２ｃ’が、短側壁３’の係止弾性片５’の係止突部５ａ’に当接し、箱型に組み立てられた状態において、長側壁２’が、簡単には、底部１’方向に倒れないように構成されている。
【０００８】
また、底部１の長辺側土手部１ａ’には、図１４や図１６に示されているように、折り畳みコンテナーが折り畳まれた状態において、係合枠４’付近の短側壁３’に形成された係止弾性片５’の先端部から、短側壁３’の内面３ａ’を越えて内側に突出した係止突部５ａ’が挿入可能な内側及び上部が開放された凹部１ａ１’が形成されている。
【０００９】
【発明が解決しようとする課題】
上述した従来の折り畳みコンテナーにおいては、折り畳みコンテナーが折り畳まれた際に、短側壁３’に形成された係止弾性片５’の係止突部５ａ’が挿入可能な凹部１ａ１’が、底部１’の長辺側土手部１ａ’に形成されているために、折り畳みコンテナーが、図１３に示されているように、箱型に組み立てられた際には、図１３や図１６に示されているように、底部１’の長辺側土手部１ａ’の内面１ａ２’側に、凹部１ａ１’が露出することになり、この凹部１ａ１’に、収容された物品が入り込んだり、収容された物品を取り出す際に、物品が、この凹部１ａ１’の上方に位置する長側壁２’の下端面２ｄ’に引っ掛かり、物品の取り出し作業性が悪くなるという問題があった。
【００１０】
本発明の目的は、上述した従来の折り畳みコンテナーが有する課題を解決することにある。
【００１１】
【課題を解決するための手段】
本発明は、上述した目的を達成するために、底部にヒンジ連結された４つの側壁を有するとともに、底部に側壁を重ねるようにして折り畳むことが可能な折り畳みコンテナーにおいて、箱型に組み立てられた折り畳みコンテナーを折り畳む際に、後から倒される側壁には、先端に係止突部が突設された係止弾性片が形成されており、折り畳みコンテナーが折り畳まれた状態においては、前記係止弾性片の係止突部が、先に倒された側壁の周辺リブを形成する下部水平部と底部の外壁と底部の底板とにより形成され、且つ、上方が開放された空間部に挿入されるように構成したものである。
【００１２】
【実施例】
以下に、本発明の実施例について説明するが、本発明の趣旨を越えない限り何ら、本実施例に限定されるものでない。なお、以下に説明する本実施例には、上述した従来の折り畳みコンテナーと異なり、箱型に組み立てられた状態から、先に短側壁が倒され、その後、長側壁が倒される例が示されているが、当然のことながら、従来の折り畳みコンテナーと同様に、先に長側壁が倒され、その後、短側壁が倒されるように構成することもできる。
【００１３】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーをコンパクトに折り畳むことができるように構成されている。また、図３に示されている状態から、先ず最初に、長側壁２を略垂直に立て、次いで、短側壁３を略垂直に立てることにより、図１に示されているように、折り畳まれていた折り畳みコンテナーを、箱型に組み立てることができる。
【００１４】
次に、主として、図４を用いて、底部１について説明する。
【００１５】
底部１は、平面形状が略長方形に形成されており、底部１の相対する長辺側には、長手方向に対して垂直な断面形状が略逆Ｕ字状の長辺側土手部１ａが形成されている。長辺側土手部１ａの外側上面には、長辺側土手部１ａの外側面と面一な、上方に延在する外壁（以下、長辺側外壁という。）１ｂが形成されており、また、長辺側土手部１ａの内側上面には、長辺側ヒンジ雌部Ｈ１を構成する板状部ｈ１が上方に延在するとともに、板状部ｈ１の上部には、その先端が長辺側外壁１ｂ方向に湾曲したフックｈ２が形成されている。長辺側土手部１ａには、長辺側ヒンジ雌部Ｈ１が、所定の間隔で適当数、形成されている。なお、本実施例には、７個の長辺側ヒンジ雌部Ｈ１が形成されている例が示されている。そして、長辺側ヒンジ雌部Ｈ１は、長辺側外壁１ｂと略同じ高さに形成されている。
【００１６】
底部１の相対する短辺側には、長辺側土手部１ａに形成された長辺側外壁１ｂより、高さの低い外壁（以下、短辺側外壁という。）１ｃが形成されており、短辺側外壁１ｃには、所定の間隔を置いて、外側及び上方が開口された一対の嵌合凹部１ｃ１が形成されている。また、短辺側外壁１ｃに沿って、且つ、短辺側外壁１ｃに接近して、底部１には、板状部ｈ１と、短辺側外壁１ｃ方向に湾曲したフックｈ２とからなる、上述した長辺側ヒンジ雌部Ｈ１と同様の短辺側ヒンジ雌部Ｈ２が形成されている。なお、本実施例には、短辺側ヒンジ雌部Ｈ２が、３個、配設されている例が示されている。そして、短辺側ヒンジ雌部Ｈ２は、短辺側外壁１ｃの高さと略同じ高さに形成されている。短辺側外壁１ｃは、底部１の短辺側より、若干、内側に配設されており、短辺側外壁１ｃの外側に位置する底部１には、帯状領域１ｃ２が形成されている。
【００１７】
底部１の４つの角部には、短辺側外壁１ｃ及び長辺側外壁１ｂを越えて上方に延在する、平面形状が略Ｌ字状の角部載置ブロック１ｄが形成されている。角部載置ブロック１ｄは、長辺側土手部１ａと略同じ幅で、長辺側土手部１ａ方向に延在する長辺側部分１ｄ１と、短辺側外壁１ｃより内側で、且つ、短辺側外壁１ｃに沿って延在する短辺側部分１ｄ２とを有しており、短辺側部分１ｄ２の外側には、段部１ｄ３が形成されている。
【００１８】
１ｅは、長辺側土手部１ａの上面と長辺側外壁１ｂの内壁面とにより形成される隅部に、所定の間隔を置いて適当数形成された長辺側載置ブロックであり、長辺側載置ブロック１ｅは、上述した角部載置ブロック１ｄと同じ高さを有している。本実施例においては、角部載置ブロック１ｄと角部載置ブロック１ｄに隣接する長辺側ヒンジ雌部Ｈ１との間、及び、隣接する長辺側ヒンジ雌部Ｈ１間に形成されており、合計で、６個の長辺側載置ブロック１ｅが形成されている。１ｆは、長辺側土手部１ａの上面と長辺側外壁１ｂの内壁面とにより形成される隅部の適当な箇所に形成された板状の補強リブであり、補強リブ１ｆは、長辺側外壁１ｂを越えて上方に延在しないように形成されている。
【００１９】
次に、主として、図５及び図６を用いて、長側壁２について説明する。
【００２０】
長側壁２は、横長の略長方形状の板状部２ａを有しており、板状部２ａには、板状部２ａの上下端辺及び左右端辺に沿って、板状部２ａの面に対して垂直に延在する周辺リブ２ｂが延設されている。周辺リブ２ｂにより囲まれた板状部２ａには、適宜、垂直方向及び水平方向に延在する補強リブ２ｃが、適当本数、形成されている。周辺リブ２ｂや補強リブ２ｃが形成されている側が、箱型に組み立てられた際の折り畳みコンテナーの外側に位置し、長側壁２の外壁面を形成するとともに、このような周辺リブ２ｂや補強リブ２ｃが形成されていない、平坦な側が、箱型に組み立てられた際の折り畳みコンテナーの内側に位置し、長側壁２の内壁面を形成することになる。
【００２１】
長側壁２の両垂直端には、板状部２ａに略垂直に、且つ、長側壁２の内壁面方向に延在する、縦長の係合枠２ｄが形成されており。係合枠２ｄには、上下方向に所定の間隔を置いて、板状部２ａに略平行な嵌合孔２ｅ１、２ｅ２、２ｅ３が形成されている。嵌合孔２ｅ１、２ｅ２、２ｅ３のうち、中央に位置する嵌合孔２ｅ２の周囲には、板状部２ａと共働して、嵌合孔２ｅ２を囲むように、且つ、板状部２ａに連結された略コの字状の補強土手部２ｅ４が形成されており、このような、補強土手部２ｅ４を形成することにより、係合枠２ｄの強度及び剛性を高めることができる。
【００２２】
長側壁２の板状部２ａの上部両端角部付近には、それぞれ、コの字状のスリット２ｆが形成されており、コの字状のスリット２ｆを形成することにより、スリット２ｆで囲まれた部分が、片持ち状の係止弾性片２ｇに形成されている。係止弾性片２ｇの内壁面側の先端には、板状部２ａの内壁面から所定量、突出する係止突部２ｇ１が突設されている。
【００２３】
２ｈは、長側壁２の周辺リブ２ｂを構成する下部水平部２ｂ１の裏面に、所定の間隔を置いて形成された、横長の下部ブロックであり、下部ブロック２ｈ間には、上述した底部１に形成された長辺側載置ブロック１ｅが挿入可能な凹部２ｉが形成されている。各下部ブロック２ｈの下面には、所定の間隔を置いて、下端が半円形状の一対の支持片ｈ３が垂設されており、また、支持片ｈ３間には、水平ピンｈ４が架橋されており、一対の支持片ｈ３と水平ピンｈ４とにより、上述した底部１の長辺側ヒンジ雌部Ｈ１に対応した長側壁側ヒンジ雄部Ｈ３が形成されている。なお、下部ブロック２ｈの下面の長側壁側ヒンジ雄部Ｈ３が形成されていない部分には、支持片ｈ３と同様の補強片２ｊが垂設されており、また、隣り合う補強片２ｊと支持片ｈ３或いは隣り合う補強片２ｊ同士とは、連結板２ｋにより連結されている。長側壁側ヒンジ雄部Ｈ３を構成する支持片ｈ３及び補強片２ｊの幅（長側壁２の板状部２ａに対して、直交する方向の長さ）は、下部水平部２ｂ１の幅（長側壁２の板状部２ａに対して、直交する方向の長さ）より、狭く形成されているとともに、下部水平部２ｂ１より引っ込んで配設されている。また、下部ブロック２ｈ及び連結板２ｋの内壁面は、長側壁２の板状部２ａの内壁面と、略面一になるように構成されている。
【００２４】
２ｍは、長側壁２の周辺リブ２ｂを構成する下部水平部２ｂ１の両端部付近に形成された、下方が解放された凹部であり、折り畳みコンテナーを、図３に示されているように、折り畳んだ際に、上述した底部１に形成された角部載置ブロック１ｄの短辺側部分１ｄ２が挿入されるように構成されている。また、長側壁２の周辺リブ２ｂを構成する下部水平部２ｂ１と、長側壁側ヒンジ雄部Ｈ３を構成する支持片ｈ３とにより、角部切り欠き部２ｎが形成されており、この角部切り欠き部２ｎには、折り畳みコンテナーを箱型に組み立てた際に、上述した底部１に形成された角部載置ブロック１ｄの長辺側部分１ｄ１が挿入されるように構成されている。なお、２ｐは、折り畳みコンテナーを箱型に組み立てた際に、上述した補強リブ１ｆが挿入可能なスリットである。
【００２５】
次に、図７及び図８を用いて、短側壁３について説明する。
【００２６】
短側壁３は、横長の略長方形状の板状部３ａを有しており、板状部３ａには、板状部３ａの上下端辺及び左右端辺に沿って、板状部３ａの面に対して垂直に延在する周辺リブ３ｂが延設されている。周辺リブ３ｂを形成する略垂直な側部３ｂ１の外側には、張出枠３ｃが形成されている。張出枠３ｃの下面と周辺リブ３ｂを形成する略垂直な側部３ｂ１とにより、張出枠３ｃの下部には、角部切り欠き部３ｄが形成されており、この角部切り欠き部３ｄには、折り畳みコンテナーを箱型に組み立てた際に、上述した底部１に形成された角部載置ブロック１ｄの短辺側部分１ｄ２が挿入されるように構成されている。
【００２７】
張出枠３ｃには、嵌合突部３ｅ１、３ｅ２、３ｅ３が形成されており、嵌合突部３ｅ１、３ｅ２、３ｅ３は、上述した長側壁２の係合枠２ｄに形成された嵌合孔２ｅ１、２ｅ２、２ｅ３に挿入されるように構成されている。中央に位置する嵌合突部３ｅ２の上下部分には、凹部３ｆが形成されており、中央に位置する嵌合突部３ｅ２は、上下に位置する嵌合突部３ｅ１、３ｅ３に比べて、その長さが長く形成されており、そして、上記の凹部３ｆには、折り畳みコンテナーを箱型に組みたてた際に、長側壁２の係合枠２ｄの中央に位置する嵌合孔２ｅ２の周囲に形成された補強土手部２ｅ４が挿入されるように構成されている。
【００２８】
周辺リブ３ｂを形成する下部水平部３ｂ２の下面には、上述した長側壁側ヒンジ雄部Ｈ３を構成する支持片ｈ３と同様の一対の支持片ｈ３が垂設されており、また、支持片ｈ３間には、同様の水平ピンｈ４が架橋されており、一対の支持片ｈ３と水平ピンｈ４とにより、上述した底部１の短辺側ヒンジ雌部Ｈ２に対応した短側壁側ヒンジ雄部Ｈ４が形成されている。また、短側壁側ヒンジ雄部Ｈ４を構成する支持片ｈ３に隣接して、上述した長側壁２に形成された補強片２ｊと同様の補強片３ｊが垂設されており、そして、隣り合う補強片３ｊと支持片ｈ３とは、上述した長側壁２に形成された連結板２ｋと同様の連結板３ｋにより連結されている。短側壁側ヒンジ雄部Ｈ４を構成する支持片ｈ３及び補強片３ｊの幅（板状部３ａに対して、直交する方向の長さ）は、下部水平部３ｂ２の幅（板状部３ａに対して、直交する方向の長さ）より、狭く形成されているとともに、その先端が、下部水平部３ｂ２の先端より引っ込んで配設されている。また、隣り合う補強片３ｊと支持片ｈ３とを連結する連結板３ｋの内壁面は、短側壁３を形成する板状部３ａの内壁面と、略面一になるように構成されている。なお、短側壁３の板状部３ａには、必要に応じて、補強用の縦リブ３ｎや横リブ３ｐが、適宜、形成されている。３ｑは、下部水平部３ｂ３の下面に垂設された補強片３ｊ間に位置する一対の間隙であり、この間隙３ｑには、折り畳みコンテナーを折り畳んだ際に、底部１の短辺側外壁１ｃに形成された一対の嵌合凹部１ｃ１を構成する膨出部１ｃ３が挿入されるように構成されている。
【００２９】
上述した構成を有する底部１、長側壁２及び短側壁３は、それぞれ、射出成形等により、合成樹脂で一体に成形することが好ましい。
【００３０】
次に、底部１、長側壁２及び短側壁３を、折り畳みコンテナーに組み立てる作業について説明する。
【００３１】
底部１に、長側壁２をヒンジ連結するには、底部１の長辺側土手部１ａに沿って形成された長辺側ヒンジ雌部Ｈ１のフックｈ２と長辺側外壁１ｂとの間隙に、長側壁２の長側壁側ヒンジ雄部Ｈ３の水平ピンｈ４を嵌入するとともに、水平ピンｈ４を、上記底部１の長辺側ヒンジ雌部Ｈ１のフックｈ２に引っ掛けることにより、底部１と長側壁２をヒンジ連結する。この際、上述したように、長側壁２の周辺リブ２ｂを構成する下部水平部２ｂ１の裏面に配設された下部ブロック２ｈ間に形成されている凹部２ｉには、底部１に形成された長辺側載置ブロック１ｅが挿入されるように構成されている。
【００３２】
また、底部１に、短側壁３を連結するには、底部１の短辺側外壁１ｃに沿って形成された短辺側ヒンジ雌部Ｈ２のフックｈ２と短辺側外壁１ｃとの間隙に、短側壁３の短側壁側ヒンジ雄部Ｈ４の水平ピンｈ４を嵌入するとともに、水平ピンｈ４を、上記底部１の短辺側ヒンジ雌部Ｈ２のフックｈ２に引っ掛けることにより、底部１と短側壁３をヒンジ連結する。
【００３３】
上述ようにして、底部１と長側壁２とがヒンジ連結されるとともに、底部１と短側壁３とがヒンジ連結されて、折り畳みコンテナーが組み立てられることになる。
【００３４】
図３に示されているように折り畳まれた状態から、図１に示されているように、箱型に折り畳みコンテナーを組み立てるには、先ず最初に、図２に示されているように、長側壁２を略垂直に立てる。次いで、底部１に重なるようにして折り畳まれている短側壁３を、略水平状態から垂直方向に回動させると、短側壁３の張出枠３ｃが、長側壁２に形成された係合枠２ｄに対向するように接近し、更に、短側壁３を、垂直方向に回動させると、短側壁３の張出枠３ｃの端部垂直リブ３ｃ２が、長側壁２の内壁面から突出している係止弾性片２ｇの係止突部２ｇ１を押して、係止弾性片２ｇを、外側面方向に、係止弾性片２ｇの弾性に抗して、回動させる。更に、短側壁３を、垂直方向に回動させると、短側壁３の張出部３ｃに突設された嵌合突部３ｅ１、３ｅ２、３ｅ３が、長側壁２の係合枠２ｄに形成された嵌合孔２ｅ１、２ｅ２、２ｅ３に挿入される。この短側壁３の張出枠３ｃに突設された嵌合突部３ｅ１、３ｅ２、３ｅ３が、長側壁２の係合枠２ｄに形成された嵌合孔２ｅ１、２ｅ２、２ｅ３に挿入される過程において、短側壁３の張出部３ｃの端部垂直リブ３ｃ２から、長側壁２に形成された係止弾性片２ｇの係止突部２ｇ１が外れて、係止弾性片２ｇが、その弾性により、元の位置に戻り、係止弾性片２ｇの係止突部２ｇ１が、短側壁３の内壁面に当接し、従って、短側壁３の底部１方向への回動が阻止されることになる。
【００３５】
箱型に組み立てられた折り畳みコンテナーを折り畳む際には、長側壁２に形成された係止弾性片２ｇの係止突部２ｇ１を、係止突部２ｇ１が、短側壁３の内壁面から外れる方向、即ち、外側方向に押して、長側壁２の係止弾性片２ｇを、その弾性に抗して湾曲させる。長側壁２に形成された長側壁２の係止弾性片２ｇの係止突部２ｇ１が、短側壁３の内壁面から外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００３６】
箱型に組み立てられている折り畳みコンテナーを折り畳むには、上述したように、先ず最初に、短側壁３を、底部１に重ねるように倒すことになるが、短側壁３が倒された際には、短側壁３の下部水平部３ｂ２と底部１の短辺側外壁１ｃと底部１の底板１ｇとにより、上方が開放された空間部Ｓが形成されるように構成されている。本実施例においては、底部１の短辺側外壁１ｃには、折り畳み時に、長側壁２の係合枠２ｄの補強土手部２ｅ４が挿入可能な嵌合凹部１ｃ１を形成する膨出部１ｃ３が配設されているので、空間部Ｓは、膨出部１ｃ３間に位置する１つの中央空間部Ｓ１と、膨出部１ｃ３と底部１に形成された角部載置ブロック１ｄとの間に位置する２つの端部空間部Ｓ２とから構成されている。勿論、長側壁２の係合枠２ｄの補強土手部２ｅ４が形成されていない場合には、上記の嵌合凹部１ｃ１を形成する必要がないので、１つの大きな空間部が形成されることになる。
【００３７】
上述したように、短側壁３を、底部１に重ねるように倒した後に、長側壁２を倒すことになるが、長側壁２が、底部１に重ねられた短側壁３の上に倒された際には、上述したように、長側壁２の係合枠２ｄの補強土手部２ｅ４が、底部１の短辺側外壁１ｃに形成された嵌合凹部１ｃ１に挿入されるとともに、長側壁２の係合枠２ｄが、底部１の短辺側外壁１ｃの外側に形成された帯状領域１ｃ２に載置或いは帯状領域１ｃ２の上方に位置するように構成されている。また、長側壁２に形成された係止弾性片２ｇの係止突部２ｇ１が、上述した短側壁３の下部水平部３ｂ２と底部１の短辺側外壁１ｃと底部１の底板１ｇとにより形成された空間部Ｓに挿入されるように構成されている。なお、本実施例においては、長側壁２に形成された係止弾性片２ｇの係止突部２ｇ１は、上述した短側壁３の下部水平部３ｂ２と底部１の短辺側外壁１ｃと底部１の底板１ｇとにより形成された空間部Ｓのうち、膨出部１ｃ３間に位置する１つの中央空間部Ｓ１に挿入されるように構成されている。
【００３８】
上述したように、長側壁２が、底部１に重ねられた短側壁３の上に倒された際には、長側壁２に形成された係止弾性片２ｇの係止突部２ｇ１が、短側壁３の下部水平部３ｂ２と底部１の短辺側外壁１ｃと底部１の底板１ｇとにより形成された空間部Ｓに挿入されるように構成されているので、従来の折り畳みコンテナーのように、折り畳み時に、短側壁３’に形成された弾性係止舌片５’の突出部５ａ’を挿入するための内側及び上部が開放された凹部１ａ１’を、底部１に形成する必要がないので、箱型に組み立てられた折り畳みコンテナーの長側壁２の内壁面と底部１の短辺側外壁１ｃの内壁面とを略面一に形成することができ、従って、折り畳みコンテナーに収容された物品が、凹部１ａ１’に入り込んだり、凹部１ａ１’の上方に位置する長側壁２’の下端面２ｄ’に引っ掛かり、物品の取り出し作業性が悪くなるというような問題を解消することができる。
【００３９】
また、長側壁２が、底部１に重ねられた短側壁３の上に倒された際には、長側壁２に形成された係止弾性片２ｇの係止突部２ｇ１が、短側壁３の下部水平部３ｂ２と底部１の短辺側外壁１ｃと底部１の底板１ｇとにより形成された空間部Ｓに挿入されるように構成されているので、長側壁２に形成された係止弾性片２ｇの係止突部２ｇ１が、底部１の短辺側外壁１ｃや短側壁３に載置されて、長側壁２が浮き上がり、折り畳みコンテナ−の折り畳み時の高さが高くなったり、長側壁２が略水平状に折り畳まれずに、長側壁２が傾斜するようなことを防止することができる。
【００４０】
なお、折り畳みコンテナーの折り畳み作業の際に、後から倒される長側壁２に形成された係止弾性片２ｇ、特に、係止弾性片２ｇの係止突部２ｇ１が、先に倒された短側壁３に形成された周辺リブ３ｂの下部水平部３ｂ２に当接する場合には、周辺リブ３ｂの下部水平部３ｂ２に、係止弾性片２ｇが入り込むような切り欠き凹部を設け、係止弾性片２ｇが、周辺リブ３ｂの下部水平部３ｂ２に当接しないように構成する。
【００４１】
【発明の効果】
本発明は、以上説明した構成を有しているので、以下に記載する効果を奏するものである。
【００４２】
底部と底部にヒンジ連結された４つの側壁を有するとともに、底部に側壁を重ねるようにして折り畳むことが可能な折り畳みコンテナーにおいて、後から倒される側壁に配設された係止弾性片の係止突部が、先に倒された側壁の下部水平部と底部の外壁と底部の底板とにより形成された空間部に挿入されるように構成されているので、箱型に組み立てられた折り畳みコンテナーの先に倒される側壁の内壁面と底部の外壁の内壁面とを略面一に形成することができ、従って、折り畳みコンテナーに収容された物品が、従来の折り畳みコンテナーのように、凹部に入り込んだり、或いは、物品の取り出し作業性が悪くなるというような問題を解消することができる。
【００４３】
また、底部と底部にヒンジ連結された４つの側壁を有するとともに、底部に側壁を重ねるようにして折り畳むことが可能な折り畳みコンテナーにおいて、後から倒される側壁に配設された係止弾性片の係止突部が、先に倒された側壁の下部水平部と底部の外壁と底部の底板とにより形成された空間部に挿入されるように構成されているので、後から倒される側壁に形成された係止弾性片の係止突部が、底部の外壁や先に倒された側壁に載置されて、後から倒される側壁が浮き上がり、折り畳みコンテナ−の折り畳み時の高さが高くなったり、後から倒される側壁が略水平状に折り畳まれずに傾斜するようなことを防止することができる。
【図面の簡単な説明】
【図１】図１は本発明の折り畳みコンテナーの箱型に組み立てられた状態の斜視図である。
【図２】図２は本発明の折り畳みコンテナーの組み立て或いは折り畳み途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの長側壁の外壁面側から見た斜視図である。
【図６】図６は本発明の折り畳みコンテナーの長側壁の内壁面側から見た斜視図である。
【図７】図７は本発明の折り畳みコンテナーの短側壁の外壁面側から見た斜視図である。
【図８】図８は本発明の折り畳みコンテナーの短側壁の内壁面側から見た斜視図である。
【図９】図９は本発明の折り畳みコンテナーを構成する底部と長側壁と短側壁の部分分解斜視図である。
【図１０】図１０は本発明の折り畳みコンテナーの折り畳み途中の部分斜視図である。
【図１１】図１１は本発明の折り畳みコンテナーの折り畳み途中の部分拡大斜視図である。
【図１２】図１２は本発明の折り畳みコンテナーの折り畳まれた状態の部分拡大斜視図である。
【図１３】図１３は従来の折り畳みコンテナーの箱型に組み立てられた状態の斜視図である。
【図１４】図１４は従来の折り畳みコンテナーの組み立て或いは折り畳み途中の斜視図である。
【図１５】図１５は従来の折り畳みコンテナーの折り畳まれた状態の斜視図である。
【図１６】図１６は従来の折り畳みコンテナーの底部と長側壁の部分拡大斜視図である。
【符号の説明】
Ｓ・・・・・・・・・・・・空間部
１・・・・・・・・・・・・底部
１ｃ・・・・・・・・・・・短辺側外壁
１ｇ・・・・・・・・・・・底板
２・・・・・・・・・・・・長側壁
２ｇ・・・・・・・・・・・係止弾性片
２ｇ１・・・・・・・・・・係止凸部
３・・・・・・・・・・・・短側壁
【図１】
0003944412.tif 000002
【図２】
0003944412.tif 000003
【図３】
0003944412.tif 000004
【図４】
0003944412.tif 000005
【図５】
0003944412.tif 000006
【図６】
0003944412.tif 000007
【図７】
0003944412.tif 000008
【図８】
0003944412.tif 000009
【図９】
0003944412.tif 000010
【図１０】
0003944412.tif 000011
【図１１】
0003944412.tif 000012
【図１２】
0003944412.tif 000013
【図１３】
0003944412.tif 000014
【図１４】
0003944412.tif 000015
【図１５】
0003944412.tif 000016
【図１６】
0003944412.tif 000017